(57)【要約】【課題】ガイドレールを窓枠サッシと一体化成形することなく、施工が簡素化されるシャッター構造を提供する。【解決手段】シャッター１の昇降をガイドするガイドレールと、該ガイドレールを窓枠サッシ縦枠に取り付ける取付部材とを一体化し、その取付部材が一体化されたガイドレールを耐風圧嵌合構造により前記窓枠サッシ縦枠の嵌合開口部３０に嵌合してなるシャッター構造Ｋである。【選択図】図１
2008133629.tif 000002
【特許請求の範囲】
【請求項１】
シャッターの昇降をガイドするガイドレールと、該ガイドレールを窓枠サッシ縦枠に取り付ける取付部材とを一体化し、その取付部材が一体化されたガイドレールを耐風圧嵌合構造により前記窓枠サッシ縦枠の嵌合開口部に嵌合してなることを特徴とするシャッター構造。
【請求項２】
シャッターと、該シャッターを巻き上げて収納する本体と、該本体を窓上方に取り付ける本体取付部材と、小動物進入防止部材と、取付部一体型ガイドレールと、水切り部材とを備えてなるシャッター構造であって、
前記取付部一体型ガイドレールが、窓枠サッシの縦枠に形成された嵌合開口部を塞ぐカバーを有し、
前記カバーが、耐風圧嵌合構造とされた内側係止部と、外側係止部とを有し、
前記内側係止部は、前記嵌合開口部の内側起立部に配設された内側部材の係止片と係止され、
前記外側係止部は、前記嵌合開口部の外側リップ部の係止片と係止されてなる
ことを特徴とするシャッター構造。
【請求項３】
耐風圧嵌合構造が、嵌合開口部の内側起立部に配設された内側部材の係止片を挟み込むようにして係止する係止爪対を備えてなることを特徴とする請求項１または２記載のシャッター構造。
【請求項４】
シャッターを前記取付部一体型ガイドレール上端に案内する上端部案内部材を備えてなることを特徴とする請求項２記載のシャッター構造。
【請求項５】
取付部一体型ガイドレールのカバーの上端部を押さえる押さえ部材を有してなることを特徴とする請求項２記載のシャッター構造。
【請求項６】
小動物進入防止部材は、窓枠サッシの開口に嵌合される嵌合部を裏面に有する基板と、該基板表面に垂設された進入防止片を含むものとされてなることを特徴とする請求項２記載のシャッター構造。
【請求項７】
水切り部材の端部の仕舞いをなすキャップを備えてなることを特徴とする請求項２記載のシャッター構造。
【発明の詳細な説明】
【技術分野】
【０００１】
本発明はシャッター構造に関する。さらに詳しくは、ガイドレールの施工が簡素化されてなるシャッター構造に関する。
【背景技術】
【０００２】
従来より、窓には防犯上の理由などからシャッターが設けられているものがある。図１０に従来のシャッター構造を分解斜視図で示す。
【０００３】
シャッター構造１００は、図１０に示すように、スラットを鎧状に縦方向につないだシャッター１０１と、シャッター１０１を巻き上げて収納する本体１０２と、本体１０２を窓上方に取り付けるための本体取付部材１０３と、本体１０２内にこうもりなどの小動物が進入するのを防止する小動物進入防止部材１０４と、シャッター１０１の昇降をガイドするガイドレール１０５と、ガイドレール１０５を窓枠サッシ縦枠に取り付けるためのガイドレール取付部材１０６と、水切り部材１０７とを備えてなるものとされる。
【０００４】
また、その施工は次のようにしてなされている。
【０００５】
すなわち、１）水切り部材１０７を窓枠サッシに取り付け、２）ガイドレール取付部材１０６を窓枠サッシに取り付け、３）本体取付部材１０３を窓上方に取り付け、４）小動物進入防止部材１０４を窓枠サッシに取り付け、５）本体１０２を本体取付部材１０３に取り付け、６）ガイドレール１０５をガイドレール取付部材１０６に取り付ける、という手順でなされている。
【０００６】
しかるに、ガイドレール１０５のガイドレール取付部材１０６への取り付けは、耐風圧強度を確保する必要性があるので、ビス留めによりなされている。そのため、施工が煩雑になっているという問題がある。
【０００７】
なお、ガイドレールを窓枠サッシと一体化成形した場合には、窓枠サッシの品種の増大を招来し、製品管理の煩雑化を招来するとともに、有効開口面積の減少などの別の問題を生ずる。
【発明の開示】
【発明が解決しようとする課題】
【０００８】
本発明はかかる従来技術の課題に鑑みなされたものであって、ガイドレールを窓枠サッシと一体化成形することなく、施工が簡素化されるシャッター構造を提供することを目的としている。
【課題を解決するための手段】
【０００９】
本発明のシャッター構造は、シャッターの昇降をガイドするガイドレールと、該ガイドレールを窓枠サッシ縦枠に取り付ける取付部材とを一体化し、その取付部材が一体化されたガイドレールを耐風圧嵌合構造により前記窓枠サッシ縦枠の嵌合開口部に嵌合してなることを特徴とする。
【００１０】
本発明のシャッター構造は、具体的には、シャッターと、該シャッターを巻き上げて収納する本体と、該本体を窓上方に取り付ける本体取付部材と、小動物進入防止部材と、取付部一体型ガイドレールと、水切り部材とを備えてなるシャッター構造であって、前記取付部一体型ガイドレールが、窓枠サッシの縦枠に形成された嵌合開口部を塞ぐカバーを有し、前記カバーが、耐風圧嵌合構造とされた内側係止部と、外側係止部とを有し、前記内側係止部は、前記嵌合開口部の内側起立部に配設された内側部材の係止片と係止され、前記外側係止部は、前記嵌合開口部の外側リップ部の係止片と係止されてなることを特徴とする。
【００１１】
本発明のシャッター構造においては、耐風圧嵌合構造が、嵌合開口部の内側起立部に配設された内側部材の係止片を挟み込むようにして係止する係止爪対を備えてなるのが好ましい。
【００１２】
また、本発明のシャッター構造においては、シャッターを前記取付部一体型ガイドレール上端に案内する上端部案内部材を備えてなるのが好ましい。
【００１３】
さらに、本発明のシャッター構造においては、取付部一体型ガイドレールのカバーの上端部を押さえる押さえ部材を有してなるのが好ましい。
【００１４】
さらに、本発明のシャッター構造においては、小動物進入防止部材は、窓枠サッシの開口に嵌合される嵌合部を裏面に有する基板と、該基板表面に垂設された進入防止片を含むものとされてなるのが好ましい。
【００１５】
さらに、本発明のシャッター構造においては、水切り部材の端部の仕舞いをなすキャップを備えてなるのが好ましい。
【発明の効果】
【００１６】
本発明によれば、ガイドレールの取り付けが簡素化され工期の短縮が図られるという優れた効果が得られる。
【００１７】
また、本発明によれば、嵌合部は耐風圧嵌合構造とされているので、ビス留めすることなく所定の風圧に耐えることができるという優れた効果も得られる。
【発明を実施するための最良の形態】
【００１８】
以下、添付図面を参照しながら本発明を実施形態に基づいて説明するが、本発明はかかる実施形態のみに限定されるものではない。
【００１９】
本発明の一実施形態に係るシャッター構造を図１に分解斜視図で示す。
【００２０】
シャッター構造Ｋは、所望の耐風圧強度を確保しながら施工の簡素化を図る観点から、ガイドレールとガイドレール取付部材とを一体化して成形するとともに、そのガイドレール取付部材が一体化されたガイドレール（以下、取付部一体型ガイドレールという）を耐風圧嵌合構造により窓枠サッシ縦枠の嵌合開口部に嵌合してなるものとされる。
【００２１】
より具体的には、シャッター構造Ｋは、図１および図２に示すように、スラットを鎧状に縦方向につないだシャッター１と、シャッター１を巻き上げて収納する本体２と、本体２を窓枠サッシに取り付けるための本体取付部材３と、本体２内にこうもりなどの小動物が進入するのを防止する小動物進入防止部材４と、シャッター１の昇降をガイドする取付部一体型ガイドレール５と、ガイドレール押さえ部材６と、シャッター１を取付部一体型ガイドレール５の上端に案内する上端部案内部材７と、水切り部材８と、水切り部材８の端部の仕舞いをなすキャップ９とを備えてなるものとされる。
【００２２】
まず、取付部一体型ガイドレール５が嵌合される窓枠サッシの縦枠に設けられる嵌合開口部３０について説明する。
【００２３】
嵌合開口部３０は、図３〜図５に示すように、窓枠サッシの縦枠内側である内側起立部３１と、窓枠サッシの縦枠外側先端部を内側に向けて折り曲げ形成された外側リップ部３２とを有するものとされる。
【００２４】
内側起立部３１の嵌合開口部３０近傍には、先端部が係止片３３ａとされた内側部材３３が垂設されている。すなわち、内側部材３３の先端部は、階段状に折り曲げられて係止片３３ａに形成されている。
【００２５】
外側リップ部３２は台形状の突出部３４を有し、突出部３４の内側辺３４ａの端部、つまり外側リップ部３２の先端部は、内側部材３３側に向けて折り曲げられて係止片３５に形成されている。ここで、突出部３４の外側辺３４ｂは斜辺とされている。
【００２６】
次に、シャッター構造Ｋについて説明するが、シャッター１、本体２および本体取付部材３は、従来と同様とされているので、以下、取付部一体型ガイドレール５を中心に説明する。
【００２７】
取付部一体型ガイドレール５は、図２〜図５に示すように、シャッター１の昇降をガイドするガイドレール部１０と、ガイドレール部１０を支持する支持部１６と、窓枠サッシの嵌合開口部３０に嵌合される取付部２０とが一体化して成形されてなるものとされる。
【００２８】
ガイドレール部１０は、従来のガイドレールと同様に内側（窓の開口側）に開口１２を有する横長筒状体１１とされる。
【００２９】
支持部１６は、取付部２０から起立状に一体的に形成されて横長筒状体１１の内壁外側を支持する外側支持片１６ａと、横長筒状体１１の内壁内側を支持する内側支持片１６ｂとを含むものとされる。
【００３０】
取付部２０は、具体的には、嵌合開口部３０と係止する係止部を有する取付部材２１とされる。また、取付部材２１は、具体的には、嵌合開口を塞ぐカバー２６と、カバー２６の嵌合開口部３０に面する面に突出形成され、外側リップ部３２の係止片３５と係止する係止爪２７ａを有する外側係止部２７、および内側部材３３の係止片３３ａを挟み込むようにして係止する、前後に配設された係止爪対２８ａ，２８ｂを有する内側係止部２８とを含むものとされる。係止爪対２８ａ，２８ｂの内、カバー２６から遠いほうの係止爪２８ｂの長さは、係止爪２８ａより長くされて、耐風圧強度の増大が図られている。
【００３１】
ここで、内側係止部２８の係止爪２８ａ，２８ｂを前後２段として係止部３３ａを挟み込むようにして係止するのは、内側の引き抜き力が外側の引き抜き力に比べて大きいので、その引き抜き力に耐えるようにするためである。つまり、係止部を耐風圧嵌合構造とするためである。また、係止爪対２８ａ，２８ｂの内、カバー２６から遠いほうの係止爪２８ｂの長さは係止爪２８ａより長くされて、耐風圧強度の増大が図られている。さらに、係止片３５が図示のように階段状に折り曲げられて形成されていることによっても、耐引抜力の増大が図られている。
【００３２】
カバー２６は、図３および図４に示すように、内側端が嵌合開口部３０の内側起立部３１に当接させられる一方、外側端が外側リップ部３２に当接させられている。外側先端部２６ａは、図示のように、外側リップ部３２の突出部３４の外側辺３４ｂに沿うよう斜めに折り曲げられているので、外側リップ部３２の弾力性と相俟って当接箇所の水密が図られている。また、カバー２６の長さは、ガイドレール部１０の上端および下端より所定量突出するよう調整されている。
【００３３】
小動物進入防止部材４は、図６に示すように、窓枠サッシの上部横枠Ｓｕの開口に嵌合される嵌合部４ｂを裏面に有する硬質合成樹脂とされた基板４ａと、基板４ａ表面に立設され窓枠サッシとシャッター１との隙間を狭める軟質合成樹脂とされた進入防止片４ｃとを含むものとされる。
【００３４】
ガイドレール押さえ部材６は、図１，図２および図７に示すように、Ｌ字状部材とされその水平片６ａが本体取付部材３下端の水平片３ａにビス留めされる一方、垂直片６ｂは取付部材２０のカバー２６上端を押さえた状態で窓枠サッシの縦枠にビス留めされる。
【００３５】
上端部案内部材７は、図１，図２および図７に示すように、案内部７ａと、案内部７ａ裏面下部に一体的に下方に延伸形成された支持部７ｂとを含むものとされる。支持部７ｂの案内部から下方に突出している部分は、支持部１６の内側支持片１６ｂと外側支持片１６ａとの間に挿通され内側支持片１６ｂにビス留め固定される。
【００３６】
案内部７ａは、ガイドレール部１０と同様の横長筒状体とされた案内部本体７ｃと、案内部本体７ｃ上端に一体的にラッパ状に形成された３枚の案内片７ｄ，７ｅ，７ｆとを有するものとされる。
【００３７】
水切り部材８は、具体的には、水切り板８Ａとされ、図１および図８に示すように、所定の下り傾斜とされている本体８ａと、本体８ａ裏面に一体的に横Ｌ字状に突出形成されている補強片８ｂと、本体８ａの上端部を折り曲げ成形してなる立ち上がり片８ｃと、本体８ａの下端部を折り曲げ成形してなる立ち下がり片８ｄとを含むものとされる。
【００３８】
立ち上がり片８ｃの上端部は、図８に示すように、窓枠サッシの下部横枠Ｓｓの嵌合部５１に嵌合される。また、補強片８ｂの水平片の先端部は、逆Ｌ字状に起立されるとともにその先端に係止爪８ｅが形成されている。この係止爪８ｅは、下部横枠Ｓｓの係止爪８ｅに対応させて起立形成された係止片５２に係止されている。
【００３９】
キャップ９は、図９に示すように、上部に取付部一体型ガイドレール５の下端部を収納・載置するガイドレール収納・載置部９ａと、ガイドレール収納・載置部９ａ底面と共働で本体８ａ端部を挟み込むようにして保持する本体保持片９ｂ，９ｃとを備えてなるブロック状体とされる。
【００４０】
なお、キャップ９が本体８ａ端部を挟み込むようにして保持するので、キャップ９の本体８ａからの脱落が自動的に防止される。
【００４１】
次に、かかる構成とされたシャッター構造Ｋの施工について説明する。
【００４２】
手順１：本体取付部材３を窓枠サッシに取り付ける。
【００４３】
手順２：小動物進入防止部材４を窓枠サッシに取り付ける。
【００４４】
手順３：本体２を本体取付部材３に取り付ける。
【００４５】
手順４：取付部一体型ガイドレール５を嵌合開口部３０に嵌合する。
【００４６】
手順５：取付部一体型ガイドレール５のカバー２６上端部をガイドレール押さえ部材６により押さえる。
【００４７】
手順６：上端部案内部材７を取付部一体型ガイドレール５の上端部に取り付ける。
【００４８】
手順７：水切り板８Ａを取付部一体型ガイドレール５の下端部に取り付ける。
【００４９】
手順８：キャップ９を水切り板８Ａの両端部に取り付ける。
【００５０】
以上の手順により、シャッター構造Ｋの施工が完了する。
【００５１】
このように、本実施形態によれば、ガイドレールと取付部材とを一体化成形して取付部一体型ガイドレール５とし、それを窓枠サッシ縦枠の嵌合開口部３０に嵌合するようにしているので、ガイドレールの取り付けが簡素化され工期の短縮が図られる。また、嵌合部は耐風圧嵌合構造とされているので、ビス留めすることなく所定の風圧に耐えることができる。
【産業上の利用可能性】
【００５２】
本発明は、シャッターが設けられている窓に適用できる。
【図面の簡単な説明】
【００５３】
【図１】本発明の一実施形態に係るシャッター構造の分解斜視図である。
【図２】同シャッター構造上部の垂直断面図である。
【図３】同シャッター構造の水平断面図である。
【図４】窓枠サッシの嵌合開口部に取付部一体型ガイドレールを嵌合した状態の水平断面図である。
【図５】同取付部一体型ガイドレールの水平断面図である。
【図６】小動物進入防止部材の詳細図である。
【図７】同シャッター構造のガイドレール部上端部の部分詳細斜視図である。
【図８】同シャッター構造下部の縦方向断面図である。
【図９】水切り部材のキャップの詳細図である。
【図１０】従来のシャッター構造の分解斜視図である。
【符号の説明】
【００５４】
１      シャッター
２      本体
３      本体取付部材
４      小動物進入防止部材
５      取付部一体型ガイドレール
６      ガイドレール押さえ部材
７      上端部案内部材
８      水切り部材
９      キャップ
１０      ガイドレール部
１６      支持部
２０      取付部
２１      取付部材
２６      カバー
２７      外側係止部
２８      内側係止部
３０      嵌合開口部
３１      内側起立部
３２      外側リップ部
３３      内側部材
３３ａ    係止片
３５      係止片
Ｋ      シャッター構造
【図１】
2008133629.tif 000003
【図２】
2008133629.tif 000004
【図３】
2008133629.tif 000005
【図４】
2008133629.tif 000006
【図５】
2008133629.tif 000007
【図６】
2008133629.tif 000008
【図７】
2008133629.tif 000009
【図８】
2008133629.tif 000010
【図９】
2008133629.tif 000011
【図１０】
2008133629.tif 000012